(57)【要約】【課題】防火信号を受信することができなくなった防火設備に、中継器を用いることなく閉鎖指示信号を伝達できるようにする。【解決手段】煙感知器１３，２３，３３、中継器４１，４２，４３、受信機７０、防火区画形成用の防火シャッター１１，２１，３１及び防火戸１２，２２，３２などを備えた建物において、中継器と受信機との間に断路器５１，５２，５３を設け、火災発生時に異常の発生した煙感知器の接続されている中継器を受信機から電気的に切り離す。また、信号伝達用の電線が火炎で断線すると、防火信号自体を伝達できない。この発明では、防火シャッターの隣接するもの同士を配線９１〜９８，９１ａ，９２ａ，９３ａ，９４ａでそれぞれ双方向接続することによって、閉鎖指示信号を伝達することができない状態にある防火シャッターに対して、中継器を介さずとも閉鎖指示信号を伝達し、防火区画を形成できるようにした。【選択図】  図４
2020199222.tif 000002
【特許請求の範囲】
【請求項１】
建物内に設けられ、受信機から出力される閉鎖指示信号の入力に応じて建物内の空間を遮蔽部材で仕切ることによって前記建物内に複数の防火区画を形成する複数の防火区画形成手段と、
前記複数の防火区画内にそれぞれ設けられ、火災発生に対応した異常事態を感知し、その感知信号を出力する複数の感知手段と、
前記防火区画内の複数の感知手段にそれぞれ接続され、前記感知信号を前記受信機に出力すると共に前記防火区画形成手段に前記閉鎖指示信号として出力する複数の中継手段と、
前記複数の中継手段と前記受信機との間にそれぞれ設けられ、前記感知手段の異常を検出した場合に、異常の検出された感知手段が接続されている前記中継手段を前記受信機から電気的に切り離す断路手段と、
所定の防火区画を形成するための複数の防火区画形成手段の隣接するもの同士をそれぞれ双方向接続することによって、前記中継手段を介して前記閉鎖指示信号を入力することができない状態にある防火区画形成手段に対して、前記双方向接続を介して前記閉鎖指示信号を伝達するように構成された第１の信号伝達手段と
を備えたことを特徴とする防火設備制御システム。
【請求項２】
請求項１に記載の防火設備制御システムにおいて、
前記第１の信号伝達手段は、所定の防火区画を形成するための複数の防火区画形成手段の隣接するもの同士をそれぞれ数珠繋ぎ状に双方向接続することを特徴とする防火設備制御システム。
【請求項３】
請求項１又は２に記載の防火設備制御システムにおいて、
前記断路手段によって前記中継手段が前記受信機から切り離された場合でも、前記受信機から切り離された中継手段に接続されている防火区画形成手段に対して、前記受信機から出力される閉鎖指示信号を伝達するように構成された第２の信号伝達手段を備えたことを特徴とする防火設備制御システム。
【請求項４】
建物内に設けられ、受信機から出力される閉鎖指示信号の入力に応じて建物内の空間を遮蔽部材で仕切ることによって前記建物内に複数の防火区画を形成する複数の防火区画形成手段と、
前記複数の防火区画内にそれぞれ複数設けられ、火災発生に対応した異常事態を感知し、その感知信号を出力する複数の感知手段と、
前記防火区画内の複数の感知手段にそれぞれ接続され、前記感知信号を前記受信機に出力すると共に前記防火区画形成手段に前記閉鎖指示信号として出力する複数の中継手段とを備えた防火設備制御システムの防火信号伝達方法において、
所定の防火区画を形成するための複数の防火区画形成手段の隣接するもの同士をそれぞれ第１の信号伝達手段によって双方向接続することによって、前記中継手段を介して前記閉鎖指示信号を入力することができない状態にある防火区画形成手段に対して、前記第１の信号伝達手段を介して前記閉鎖指示信号を伝達することを特徴とする防火信号伝達方法。
【請求項５】
請求項４に記載の防火信号伝達方法において、
前記第１の信号伝達手段は、所定の防火区画を形成するための複数の防火区画形成手段の隣接するもの同士をそれぞれ数珠繋ぎ状に双方向接続することを特徴とする防火信号伝達方法。
【請求項６】
請求項４又は５に記載の防火信号伝達方法において、
前記感知手段の異常を検出した場合に、異常の検察された前記感知手段の接続されている前記中継手段が前記受信機から電気的に切り離された場合でも、前記受信機から切り離された中継手段に接続されている防火区画形成手段に対して、前記中継手段を介さずに前記受信機から出力される閉鎖指示信号を直接伝達する第２の信号伝達手段を介して、前記受信機から出力される閉鎖指示信号を伝達することを特徴とする防火信号伝達方法。
【発明の詳細な説明】
【技術分野】
【０００１】
本発明は、ビル、工場、倉庫などの建物の出入口や大きな部屋、通路、ホール空間又は地下街、立体駐車施設などの構造物などの開口部を仕切るために防火戸や引き戸、シート状、シャッター状、スクリーン状、スラット状又はパネル状、耐火クロスなどの防火シャッターなどの遮蔽部材を用い建物内部の通路ホール空間などを自動的に閉鎖する防火設備制御システム及び防火信号伝達方法に係り、特に遮蔽部材の非常時における自動閉鎖動作を確実に実行できるようにした防火設備制御システム及び防火信号伝達方法に関する。
【背景技術】
【０００２】
一般に、床面積の大きいビル等の建物内部の通路などには、火災発生時の延焼や煙の拡散を防止するために火災発生と同時に自動的に閉じる防火シャッターや防火戸などの遮蔽部材を用いて、柱、壁、天井、床などと共に３次元的に囲まれた空間、すなわち防火区画を形成するように動作する防火設備（防火シャッター、防火戸などの防火区画形成装置）を用いた防火設備制御システムが備え付けられている。
【０００３】
従来の防火設備制御システムにおいては、随時閉鎖式の防火戸や防火シャッターを建物の防火区画に使用する場合、通常時は温度ヒューズを用いて防火戸や防火シャッターを開放状態に保持しておき、火災時には火災による熱で温度ヒューズが溶解することで、防火戸や防火シャッターが温度ヒューズから解放さることで保持が解除され、それによって防火戸が自動閉鎖したり、シャッターカーテンなどの防火シャッターが自重降下していた。
【０００４】
しかし、竪穴区画や異種用途区画に、温度ヒューズ装置の付いた防火戸や防火シャッターを用いると、温度ヒューズが作動する前に、火災により発生した煙が階段室や吹き抜け、エレベータ昇降路、エスカレータ部分に拡散することで、避難中の人が有害な煙を吸い込み、避難に支障のあるおそれがあるため、現在は、煙感知器などの感知手段を用いることになっている。
【０００５】
既存の建物に設置された防火戸や防火シャッターは、温度ヒューズを煙感知器などに取り換え、煙感知器、中継器、危害防止用連動中継器（防火シャッターのみ）、及び自動閉鎖装置を設置し、これらの機器を建物内で信号伝達用の電線でそれぞれ接続して制御している。
特許文献１には、１基の中継器で同時に多くの防火設備（複数の防火シャッター）を作動させるように構成したものが記載されている。
【先行技術文献】
【特許文献】
【０００６】
【特許文献１】特開２００７−２４４６０７号公報
【発明の開示】
【発明が解決しようとする課題】
【０００７】
特許文献１に記載されたものは、中継器に電線を介して接続された複数の防火シャッターを同時に制御するように構成されている。
大規模倉庫などのように床面積の大きな場所に防火シャッターを設置する場合、各区画に火災発生時に対応した異常事態を感知する感知手段として煙の発生を感知する煙感知器を複数設置すると共に中継器も各区画にそれぞれ設け、感知手段から中継器を介して中央の受信機に信号を送信することによって、全ての防火シャッターの作動を制御していた。
【０００８】
ところが、火災等の発生によって感知手段である煙感知器がショートしてしまうと、これによって全ての防火シャッターが作動しなくなるという可能性がある。そこで、中継器と受信機との間に断路器を設け、感知手段がショートした場合、断路器を用いてショートした感知手段の接続されている中継器だけを中央の受信機から切り離すことにした。これによって、断路器が作動した区画以外の区画に設置された防火シャッターは受信機によって作動させることが可能となる。一方、断路器によって切り離された中継器が作動制御していた区画の防火シャッターは、その後自動閉鎖しなくなるため、その区画においては防火シャッターによる延焼を有効に防止することが困難となる。
さらに、受信機から防火信号を伝達するために建物内に敷設されている信号伝達用の電線が火災時の火炎によって断線すると、防火信号自体を伝達することができなくなり、これによって防火信号を受信することのできない連動中継器が発生する可能性があり、防火区画を形成することが困難な場合があり得る。
【０００９】
本発明は、上述の点に鑑みてなされたものであり、防火信号を伝達することができなくなった防火設備に対して、中継器を用いることなく防火信号を伝達し、防火区画を形成することができる防火設備制御システム及び防火信号伝達方法を提供することにある。
【課題を解決するための手段】
【００１０】
本発明に係る防火設備制御システムの第１の特徴は、建物内に設けられ、受信機から出力される閉鎖指示信号の入力に応じて建物内の空間を遮蔽部材で仕切ることによって前記建物内に複数の防火区画を形成する複数の防火区画形成手段と、前記複数の防火区画内にそれぞれ複数設けられ、火災発生に対応した異常事態を感知し、その感知信号を出力する複数の感知手段と、前記防火区画内の複数の感知手段にそれぞれ接続され、前記感知信号を前記受信機に出力すると共に前記防火区画形成手段に前記閉鎖指示信号として出力する複数の中継手段と、前記複数の中継手段と前記受信機との間にそれぞれ設けられ、前記感知手段が異常を検出した場合に、異常の検出された感知手段が接続されている前記中継手段を前記受信機から電気的に切り離す断路手段と、所定の防火区画を形成するための複数の防火区画形成手段の隣接するもの同士をそれぞれ双方向接続することによって、前記中継手段を介して前記閉鎖指示信号を入力することができない状態にある防火区画形成手段に対して、前記双方向接続を介して前記閉鎖指示信号を伝達するように構成された第１の信号伝達手段とを備えたことにある。
【００１１】
感知手段は、火災発生に対応した異常事態を感知し、その感知信号を出力するものであり、熱感知器、煙感知器、炎感知器などが対応し、建物内に複数配置される。防火区画形成手段は、建物内の複数個所に設けられ、火災発生時などに閉鎖指示信号の入力に応じて建物内に所定の防火区画を形成するものであり、防火シャッター装置、防火カーテン装置、防火戸などの遮蔽部材が対応し、これ以外にも防火のための遮蔽部材が降下方式や回転方式、横引き方式、折り畳み方式、水平方式、上昇方式などで繰り出されたりするものが対応する。防火戸の場合は、建物開口部の周縁部横側に設けられた収納部に収納されており、火災発生時に、この周縁部横側に収納された状態から回転移動して周縁部の例えば上（天井）側又は下（床）側に設けられた戸当たり部に当接することによって停止して、建物開口部の一部を仕切るものである。また、この防火戸によって仕切られなかった開口部の残りの部分を仕切る（閉鎖する）防火シャッター装置が防火戸に併設されている場合もある。通常、防火戸は戸袋などの収納部内に係合部材によって拘束されており、火災発生時等の非常時には、危害防止用連動中継器からの起動信号を入力した防火戸用自動閉鎖装置によってその係合部材の拘束が解除され、閉鎖動作を開始するように構成されている。これらの防火区画形成手段は、建物内の複数個所に設けられている。
【００１２】
中継手段には、防火区画内に設けられている複数の感知手段が接続されると共に受信機が接続されている。中継手段は、感知手段からの感知信号を入力し、受信機に送信すると共にその感知信号の入力に応じて、複数の防火区画形成手段に閉鎖指示信号を出力する。複数の感知手段のいずれか１又は複数が火災発生時にショートした場合や例えば断線やノイズ等による中継手段の異常又は感知手段と中継手段との間の異常を検出した場合に、中継手段と受信機との間に設けられている断路手段が両者を電気的に切り離すようになっている。このような構成の防火設備制御システムにおいても、信号伝達用の電線が火災時の火炎で断線すると、防火信号自体を伝達することができなくなる。そこで、この発明では、第１の信号伝達手段として、防火区画形成手段の隣接するもの同士をそれぞれ双方向接続することによって、閉鎖指示信号を伝達することができない状態にある防火区画形成手段に対しても、中継手段を介さずとも防火区画形成手段間で閉鎖指示信号を伝達し、防火区画を形成できるようにした。
【００１３】
本発明に係る防火設備制御システムの第２の特徴は、前記第１の特徴に記載の防火設備制御システムにおいて、前記第１の信号伝達手段は、所定の防火区画を形成するための複数の防火区画形成手段の隣接するもの同士をそれぞれ数珠繋ぎ状に双方向接続することにある。
これは、防火区画形成手段の隣接するもの同士をそれぞれ双方向接続しただけでは、所定の防火区画を形成することが困難な場合があるので、所定の防火区画を形成するために必要な複数の防火区画形成手段のそれぞれ隣接するもの同士を数珠繋ぎ状に双方向接続することによって、数珠繋ぎ状に双方向接続された危害防止用連動中継器の少なくとも１個に閉鎖指示信号が伝達されれば、数珠繋ぎ状に双方向接続された危害防止用連動中継器の全てに閉鎖指示信号が伝達され、所定の防火区画を形成できるようにしたものである。
【００１４】
本発明に係る防火設備制御システムの第３の特徴は、前記第１又は第２の特徴に記載の防火設備制御システムにおいて、前記断路手段によって前記中継手段が前記受信機から切り離された場合でも、前記受信機から切り離された中継手段に接続されている防火区画形成手段に対して、前記受信機から出力される閉鎖指示信号を伝達するように構成された第２の信号伝達手段を備えたことにある。
複数の感知手段のいずれか１又は複数が火災発生時にショート、断線又はノイズ等による異常を検出した場合、中継手段と受信機との間に設けられている断路手段が両者を電気的に切り離すようになっている。この発明では、中継手段を介さずに複数の防火区画形成手段のそれぞれに受信機から出力される閉鎖指示信号を伝達する第２の信号伝達手段を設け、中継手段が断路手段によって受信機から電気的に切り離された場合でも、その切り離された中継手段に接続されている防火区画形成手段に対して、受信機からの閉鎖指示信号を直接伝達するようにした。これによって、断路手段によって切り離された区画の防火設備（防火シャッター、防火戸などの防火区画形成装置）を、中継手段を用いることなく作動させることができるという効果を奏する。なお、複数の防火区画形成手段に閉鎖指示信号を伝達する第２の信号伝達用の電線の一部が火災時の火炎で断線したとしても、双方向接続された危害防止用連動中継器のいずれかに閉鎖指示信号が第２の信号伝達手段を介して伝達されるので、所定の防火区画を形成することができる。
【００１５】
本発明に係る防火信号伝達方法の第１の特徴は、建物内に設けられ、受信機から出力される閉鎖指示信号の入力に応じて建物内の空間を遮蔽部材で仕切ることによって前記建物内に複数の防火区画を形成する複数の防火区画形成手段と、前記複数の防火区画内にそれぞれ複数設けられ、火災発生に対応した異常事態を感知し、その感知信号を出力する複数の感知手段と、前記防火区画内の複数の感知手段にそれぞれ接続され、前記感知信号を前記受信機に出力すると共に前記防火区画形成手段に前記閉鎖指示信号として出力する複数の中継手段とを備えた防火設備制御システムの防火信号伝達方法において、所定の防火区画を形成するための複数の防火区画形成手段の隣接するもの同士をそれぞれ第１の信号伝達手段によって双方向接続することによって、前記中継手段を介して前記閉鎖指示信号を入力することができない状態にある防火区画形成手段に対して、前記第１の信号伝達手段を介して前記閉鎖指示信号を伝達することにある。
これは、前記防火設備制御システムの第１の特徴に対応した防火信号伝達方法の発明である。
【００１６】
本発明に係る防火信号伝達方法の第２の特徴は、前記第１の特徴に記載の防火信号伝達方法において、前記第１の信号伝達手段は、所定の防火区画を形成するための複数の防火区画形成手段の隣接するもの同士をそれぞれ数珠繋ぎ状に双方向接続することにある。
これは、前記防火設備制御システムの第２の特徴に対応した防火信号伝達方法の発明である。
【００１７】
本発明に係る防火信号伝達方法の第３の特徴は、前記第１又は第２の特徴に記載の防火信号伝達方法において、前記感知手段が異常を検出した場合に、異常の検出された前記感知手段が接続されている前記中継手段を前記受信機から電気的に切り離された場合でも、前記受信機から切り離された中継手段に接続されている防火区画形成手段に対して、前記中継手段を介さずに前記受信機から出力される閉鎖指示信号を直接伝達する第２の信号伝達手段を介して、前記受信機から出力される閉鎖指示信号を伝達することにある。
これは、前記防火設備制御システムの第３の特徴に対応した防火信号伝達方法の発明である。
【発明の効果】
【００１８】
本発明の防火設備制御システム及び防火信号伝達方法によれば、防火信号を伝達することができなくなった防火設備に対して、中継器を用いることなく防火信号を伝達し、防火区画を形成することができるという効果がある。
【図面の簡単な説明】
【００１９】
【図１】本発明の防火設備制御システムの設置された３階建て建造物の概略構成を示す図である。
【図２】本発明に係る防火設備制御システムを構成する防火シャッター装置及び防火戸の概略構成を示す図である。
【図３】図２に示した防火シャッター装置及び防火戸によって防火設備制御システムが建築空間上でどのように配置されるのか、その一例を示す図である。
【図４】図３の各危害防止用連動中継器の接続関係を示す図である。
【図５】図４の各危害防止用連動中継器の接続関係の変形例を示す図である。
【図６】防火シャッター装置及び防火戸の自動閉鎖処理の一例を示すフローチャート図である。
【発明を実施するための形態】
【００２０】
以下添付図面に従って本発明に係る防火設備制御システムの好ましい実施の形態について説明する。この実施の形態では開閉体手段として上下に開閉制御されるシャッター装置群を例に説明する。図１は、本発明の防火設備制御システムの設置された３階建て建造物の概略構成を示す図である。図２は、本発明に係る防火設備制御システムを構成する防火シャッター装置及び防火戸の概略構成を示す図である。本発明に係る防火設備制御システムでは、各階に図２に示すような防火シャッター装置及び防火戸が複数個所に設けられている。なお、防火シャッター装置又は防火戸のみが単独で複数設けられている場合もある。
【００２１】
図１に示す防火シャッター装置１１，２１，３２及び防火戸１２，２２，３２は同じ構成なので、図２では１階に設けられている防火シャッター装置１１及び防火戸１２の構成について説明する。また、図１では、防火区画が各々異なっている各階に設けられる防火シャッター装置１１，２１，３２、防火戸１２，２２，３２及び煙感知器１３，２３，３３を一つだけ示しているが、実際には各階に複数の防火シャッター装置、防火戸及び煙感知器が設けられている。
【００２２】
防火シャッター装置１１は、基本的に開閉機１１０、ブレーキ１１１、自動閉鎖装置１１２、シャッターカーテン１１４、ガイドレール１１５，１１６、危害防止用連動中継器１１８、電気式手動閉鎖装置１１９、座板スイッチ１１ａなどから構成される。この防火シャッター装置１１は、通常は開閉機１１０がシャッターカーテン１１４を巻取り軸（図示せず）に巻き取るなどして開口部の周縁部の上部に設けられた収納部に収納した開放状態にある。なお、別例のものとして、シャッターカーテン１１４を巻き取らずに閉鎖状態としておき、火災発生時などにシャッターカーテン１１４を収納部に収納して開放状態とするものもある。防火シャッター装置１１の開放状態はブレーキ１１１で機械的に保持されることによって維持されている。
【００２３】
自動閉鎖装置１１２は、火災発生時には、中継器４１及び危害防止用連動中継器１１８を介して入力される防火信号ＢＳ、電気式手動閉鎖装置１１９（非常時のシャッター閉鎖ボタンを含む）から危害防止用連動中継器１１８を介して入力される閉鎖指示信号に応じて、それぞれブレーキ１１１による開放状態の保持を解除し、シャッターカーテン１１４を自重で降下させて収納部から繰り出させることによって、開口部を閉鎖し又は仕切って、所定の防火区画を形成するようになっている。なお、防火信号ＢＳは、各階に設けられた、火災発生時に対応した異常事態として煙を感知する煙感知器１３から出力され、それが中継器４０及び危害防止用連動中継器１１８を介して閉鎖指示信号として自動閉鎖装置１１２に入力される。
【００２４】
煙感知器１３，２３，３３、防火シャッター装置１１，２１，３１、防火戸１２，２２，３２、中継器４１，４２，４３及び断路器５１，５２，５３などは建物の内部構造や設置環境などによって複数箇所にそれぞれ設けられていてもよい。また、各階に複数の煙感知器などを設け、複数の煙感知器が中継器にそれぞれ接続されるように構成しても良い。この場合、中継器は、複数の内一つ以上の煙感知器などが感知した場合に複数の防火信号ＢＳの感知に応じた数の防火信号を出力してもよい。これによってどの煙感知器が感知したのか時間と場所を把握することが可能となる。また、中継器は、複数の内一つ以上の煙感知器などが感知した場合に単一の防火信号ＢＳを出力しても良い。
【００２５】
中継器４１，４２，４３は、各区画の煙感知器１３，２３，３３に接続されると共に断路器５１，５２，５３を介して防災センターの受信機７０に接続される。中継器４１，４２，４３は、煙感知器１３，２３，３３からの防火信号ＢＳを入力又は受信した場合、この防火信号ＢＳに基づいて防火シャッター装置１１，２１，３１及び防火戸１２，２２，３２の閉鎖指示信号を危害防止用連動中継器１１８，２１８，３１８に送信する。また、中継器４１，４２，４３は、断路器５１，５２，５３を介して受信機７０からの防火信号ＢＳを入力又は受信した場合も同様に、この防火信号ＢＳに基づいて防火シャッター装置１１，２１，３１及び防火戸１２，２２，３２の閉鎖指示信号を危害防止用連動中継器１１８，２１８，３１８に送信する。
【００２６】
断路器５１，５２，５３は、煙感知器１３，２３，３３のいずれかがショートした場合に、中継器４１，４２，４３と受信機７０との間の回線を切り離し、そのショートの影響が外の防火区画（中継器）に及ぶのを防止するものである。断路器５１，５２，５３には、配線用遮断器（ブレーカー）が用いられ、煙感知器１３，２３，３３のいずれかがショートし、中継器４１，４２，４３に異常な過電流が流れたときに、中継器４１，４２，４３と受信機７０との間の電路を開放し、受信機７０側へそのショートによる影響が外の区画に及ぶのを回避している。なお、遮断器等として動作する断路器は、ショート以外にも、例えば断線やノイズ等の影響による中継器又は感知器と中継器間の異常状態を検出した場合にも、同様に中継器４１，４２，４３と受信機７０との間の電路を開放するように構成してもよい。
【００２７】
開閉機１１０は、シャッターカーテン１１４を電動で開放、閉鎖するための駆動モータである。危害防止用連動中継器１１８は、中継器４１を介して煙感知器１３，２３，３３からの防火信号ＢＳ（閉鎖指示信号）及び受信機７０からの防火信号ＢＳを入力した場合に、自動閉鎖装置１１２に有電圧信号である直流２４Ｖ信号を出力するものである。危害防止用連動中継器１１８は、通常は、商用電源を使用して直流２４Ｖ信号を出力するが、停電時などには危害防止用連動中継器１１８に内蔵されている予備電源（蓄電池などのバッテリー）からの電力によって直流２４Ｖ信号を出力する。
【００２８】
自動閉鎖装置１１２は、従来の防火シャッター等に用いられる既知の自動閉鎖装置のように危害防止用連動中継器１１８を介して供給される商用電源又は危害防止用連動中継器１１８に内蔵されている予備電源（蓄電池）からの電力（直流２４Ｖ信号）によって動作する。また、自動閉鎖装置１１２は、シャッター用予備電源を内蔵する危害防止用連動中継器１１８から供給される２４Ｖ信号の電力を用いて動作することによって、火災発生時に防火シャッター装置１１に対する商用電源の供給がなくとも、煙感知器１３又は受信機７０から中継器４０を介して入力される防火信号ＢＳ（閉鎖指示信号）に応じて、ブレーキ１１１を解放し、巻取り状態にある防火構造のシャッターカーテン１１４を自重で下降させ自動的に開口部を閉鎖するようになっている。また、防火シャッター装置１１及び防火戸１２には、避難等のために通過可能な扉やスリットが設けられている場合がある。この実施の形態では、防火戸１２には、潜り戸１２１が設けられている。
【００２９】
この防火シャッター装置１１には、開閉中に障害物への接触を検出する障害物感知装置が設けられている。障害物感知装置は、シャッターカーテン１１４の下端の座板上に設けられた座板スイッチ１１ａと、シャッターカーテン１１４の収納ボックス内に設けられた有線式障害物感知装置１１ｂと、これらの間を電気的に接続する信号線１１ｃとによって構成される。
【００３０】
座板スイッチ１１ａは、シャッターカーテン１１４の座板に取り付けてあり、この座板が人や物などの障害物に接触することによって接点の閉じるマイクロスイッチを内蔵しており、この接点が閉じた場合にそれを感知信号として有線式障害物感知装置１１ｂに信号線１１ｃを介して有線方式で送信する。信号線１１ｃは、座板スイッチ１１ａの感知信号を有線式障害物感知装置１１ｂに伝送するケーブルである。このケーブルは、コードリールや移動式プーリー等によって収納したりガイドしたりすることによって、シャッターカーテン１１４の開閉を阻害する撓みを避けられるようにしている。
【００３１】
有線式障害物感知装置１１ｂは、通常時は商用電源によって動作し、座板スイッチ１１ａからの感知信号の入力に応じて開閉機１１０の動作を制御し、さらに少なくとも火災発生時など非常時には、座板スイッチ１１ａからの障害物感知信号を自動閉鎖装置１１２へスルー出力するものである。
【００３２】
自動閉鎖装置１１２は、この有線式障害物感知装置１１ｂからの障害物感知信号の入力に応じてシャッターカーテン１１４の閉動作を停止してその回避動作を行う。従って、火災発生時にシャッターカーテン１１４が自重下降している際に座板などが障害物に接触し、座板スイッチ１１ａから感知信号が検出された場合に、シャッターカーテン１１４の自重下降を停止してその回避動作を行う。すなわち、有線式障害物感知装置１１ｂは、通常時、シャッターカーテン１１４が下降中に障害物感知信号を入力した場合、シャッターカーテン４の下降動作を停止し、一定時間だけ上昇させるという制御を行う。
【００３３】
一方、有線式障害物感知装置１１ｂは、火災発生時などのように自動閉鎖装置１１２が起動して、シャッターカーテン１１４が下降中に、障害物感知信号を入力した場合には、その障害物感知信号を自動閉鎖装置１１２にスルー出力し、自動閉鎖装置１１２の動作を停止させ、開閉機１１０のブレーキ１１１の解放状態を戻して、一旦、シャッターカーテン１１４を停止させるという制御を行う。なお、有線式障害物感知装置１１ｂは図２に示すように独立した装置でもよいし、危害防止用連動中継器１１８やその他の装置に内蔵されていてもよい。
【００３４】
図１及び図２に示すようなシャッターカーテン１１４に併設して防火戸１２を備える防火シャッター装置１１の一般的な構成では、シャッターカーテン１１４の両サイドに、開口部側端部に設けられるガイドレール１１５と、シャッターカーテン１１４と防火戸１２との間の開口部に設けられる中柱と呼ばれるガイドレールが存在する。この実施の形態では、シャッターカーテン１１４の片側（図の左側）にガイドレール１１５が設けられているが、中柱は存在せず、防火戸１２の側端部の一部に凹状の溝部を設け、それをガイドレール１１６として利用している。従って、この実施の形態に係る開閉体装置の場合、防火戸１２が回転可動して空間を閉鎖した状態（仕切った状態）になって、シャッターカーテン１１４の両サイドにガイドレール１１５，１１６が存在することになる。
【００３５】
この実施の形態では、遮蔽戸手段として設けられた袖扉である防火戸１２の閉鎖動作に連動してシャッターカーテン１１４を閉鎖動作させるために、防火戸１２が確実に閉鎖したことを検知する閉鎖確認用スイッチ２４が戸当り部又は開口部のまぐさ上部に設置してあり、防火戸１２が先に閉鎖して閉鎖確認用スイッチ２４から防火戸閉鎖完了信号が出力されることによってシャッターカーテン１１４が閉鎖動作を開始するような構成になっている。
【００３６】
閉鎖確認用スイッチ２４から出力される防火戸閉鎖完了信号は、ガイドレール１１６の近傍を通って、シャッターカーテン１１４と干渉しない位置を通過して危害防止用連動中継器１１８に出力される。防火戸閉鎖完了信号を入力した危害防止用連動中継器１１８は、自動閉鎖装置１１２を動作させて、ブレーキ１１１を解放し、巻取り状態にある防火構造のシャッターカーテン１１４を自重で下降させ自動的に開口部を閉鎖する。なお、防火戸１２は、常時開放式のものであり、通常は開口部側面の柱や躯体壁面などに設けられた戸袋等に収納されている。この常時開放式の防火戸１２には、閉鎖した防火戸１２に別途設けられた潜り戸１２１によって避難通路が確保されるようになっている。
【００３７】
防火戸用自動閉鎖装置１２２は、防火戸１２の戸袋１２３を構成する躯体壁面内に埋め込まれた形状で設けられている。防火戸１２は、平常時には防火戸用自動閉鎖装置１２２によって開放状態となるように拘束保持されている。そして、防火戸用自動閉鎖装置１２２によってその拘束保持を解かれると、防火戸１２は自重（所謂グラビティーヒンジ使用など）やばね力（クローザー使用など）などの付勢力によって閉鎖するように構成されている。
【００３８】
防火戸用自動閉鎖装置１２２は、危害防止用連動中継器１１８に設けられた外部機器電源供給端子（２４［Ｖ］出力端子）に電気的に接続されており、危害防止用連動中継器１１８が防火信号ＢＳや電気式手動閉鎖装置１１９の操作に基づいた起動信号の入力に応じて外部機器電源供給端子から２４［Ｖ］の電圧を防火戸用自動閉鎖装置１２２へ有電圧信号として出力する。防火戸用自動閉鎖装置１２２は、この有電圧信号を用いて防火戸１２の拘束を解き、防火戸１２を閉鎖させる。
【００３９】
危害防止用連動中継器１１８から防火戸用自動閉鎖装置１２２へ出力される有電圧信号は、シャッターカーテン１１４及び閉鎖確認用スイッチ２４と干渉しない位置、すなわち当接や接触等を回避できる位置であって防火戸１２の戸袋１２３の上枠及び防火戸１２の戸袋１２３を構成する躯体壁面内を通過して防火戸用自動閉鎖装置１２２に導入されるようになっている。なお、図２では、防火戸用自動閉鎖装置１２２及び危害防止用連動中継器１１８までの配線であって躯体壁面内に埋設された部分については点線で図示してある。
【００４０】
電気式手動閉鎖装置１１９は、主にシャッター電動開閉駆動用の開閉機１１０を操作し、危害防止用連動中継器１１８に防火信号ＢＳが入力したときと同様の動作をさせるための起動信号を手動で発生させるものである。電気式手動閉鎖装置１１９には、開閉機１１０へのシャッター開放、閉鎖、停止の指示に対応した管理併用操作入力スイッチＰＢＳ（押しボタンスイッチ）と、非常用シャッター閉鎖ボタンである動作ボタン、復旧ボタン及び電池試験ボタンなどが設けられ、さらに電池試験結果、予備電源の状態、コード断線状態などを表示したりする種々の表示手段が設けられている。なお、入力スイッチＰＢＳは通常時の管理用に使用されるものなので、必ずしも開閉体装置の近傍に設けられている必要は無く、リモコンとして管理者が持っていてもよいし、遠隔操作可能な構成としてもよい。
【００４１】
図２では防火戸１２の上側に電気式手動閉鎖装置１１９が図示してあるが、実際は防火戸１２近くの躯体側などやガイドレール１１５の人が操作可能な位置に設置されている。電気式手動閉鎖装置１１９の動作ボタンは、樹脂製の透明パネル（押し破りキャップ）に覆われ、非常時にこの樹脂製の透明パネルを押し込むことによって、操作可能に構成された非常用シャッター閉鎖ボタン（動作ボタン）を備えている場合が多い。
【００４２】
この実施の形態に係る防火設備制御システムにおいては、煙感知器１３，２３，３３がアナログ式感知器で構成されているので、煙感知器１３，２３，３３に係る電線等がショートすると、その影響が広範囲におよんで多数の防火シャッター装置１１，２１，３１が正常に動作しなくなる可能性がある。そこで、この実施の形態では、中継器４１，４２，４３と受信機７０との間に断路器５１，５２，５３を設け、煙感知器１３，２３，３３のいずれかがショートした場合に、そのショートした煙感知器１３，２３，３３の接続された中継器４１，４２，４３を受信機７０から切り離し、ショートによる影響が外の区画に及ばないように構成している。例えば、火災発生時に３階に設置してある煙感知器３３が火災熱によってショートした場合、断路器５３が中継器４３と受信機７０の間の回線を切り離すので、煙感知器３３のショートによる影響は外の１階及び２階の中継器４１，４２に及ぶことはなく、１階及び２階の防火シャッター装置１１，２１及び防火戸１２，２２は正常な動作を維持することが可能となる。
【００４３】
一方、断路器５１，５２，５３が作動することによって、受信機７０から切り離された区画に設置してある防火シャッター装置及び防火戸に関しては、自動閉鎖機能が作動することが困難な状況となる。そこで、この実施の形態では、区画形成用の防火設備（防火シャッタ装置及び防火戸）の隣接するものの危害防止用連動中継器同士をそれぞれ双方向に接続し、受信機７０から防火信号を受信した場合、その区画形成用の危害防止用連動中継器に対して連携信号を出力し、防火信号を受信していなくても他の危害防止用連動中継器からの連携信号を受信した場合には、防火信号を受信したものとみなして防火設備（防火シャッター装置や防火戸）を作動させるようにした。すなわち、言い換えれば、中継器（中継手段）を介して閉鎖指示信号を入力することができない状態にある場合でも連携信号（結果として閉鎖指示信号）を伝達することができる。なお、閉鎖指示信号を入力できる場合でも連携信号を伝達してもよい（すなわち、防止信号を受信できる場合も連携信号を併せて受信できて防火設備を作動させるようにしてもよい）。
【００４４】
また、この実施の形態では、全ての防火設備（防火シャッター装置及び防火戸）に対して、防火信号ＢＳである閉鎖指示信号を伝達可能な配線（信号線）を別途施し、受信機７０から切り離された区画に設置してある防火シャッター装置及び／又は防火戸に対しても直接閉鎖指示信号を送信することができるようにした。
【００４５】
例えば、図１に示すように受信機７０と断路器５１，５２，５３とを接続する配線とは別個に各階（各防火区画）毎単位又は複数階（複数防火区画）の防火シャッター装置１１，２１，３１の危害防止用連動中継器１１８，２１８，３１８に閉鎖指示信号を送信するための耐火耐熱性能に優れた構造の配線１１ｅ，２１ｅ，３１ｅを敷設する。これによって、断路器５１，５２，５３の動作によって、切り離された区画に設置してある防火シャッター装置及び／又は防火戸に対して直接閉鎖指示信号を送信することができる。また、閉鎖指示信号を受信した連動中継器から区画形成用の防火設備（防火シャッタ装置及び防火戸）の連動中継器に連携信号が送信されるので、速やかに自動閉鎖動作を開始させて防火区画を形成することが可能となる。
【００４６】
この実施の形態によれば、断路器５１，５２，５３によって、区画が切り離された場合でも、別途敷設された配線１１ｅ，２１ｅ，３１ｅを使用して、閉鎖指示信号を直接送信することができる。また、配線１１ｅ，２１ｅ，３１ｅが何らかの不具合によって切断等され、機能しなくなっても、区画形成用の連動中継器から出力される連携信号によって、防火シャッター装置及び／又は防火戸が自動閉鎖を開始するので、速やかに防火区画を形成することでき、火災の延焼を最小限に留めることができるという優れた効果を奏する。
【００４７】
図３は、図２に示した防火シャッター装置及び防火戸によって防火設備制御システムが建物内の建築空間上でどのように配置されるのか、その一例を示す図である。図３は、図１の２階部分の外壁５５〜５８に囲まれた正方形状の建築空間を示す。図３の防火設備制御システムでは、この建築空間の中間部分を４つの防火区画Ａ〜Ｄとして管理している。すなわち、柱６１と柱６２、柱６２と柱６３、柱６３と柱６４、柱６４と柱６５、柱６３と柱７３、柱７３と柱７７、柱６３と柱８３、柱８３と柱８７のそれぞれの柱間に、図２に示すような防火シャッター装置及び防火戸がそれぞれ設けられており、防火区画Ａ，Ｂ，Ｃ，Ｄを形成するようになっている。なお、図３では、中継器４２，断路器５２等の図示を省略してある。
【００４８】
各柱６１〜６５，７３，７７，８３，８７には、防火シャッター装置２１のシャッターカーテン１１４のガイドレール１１５と防火戸２２の枠がそれぞれ設置される。この４つの防火区画Ａ〜Ｄはそれぞれ階段を含む区画（階段区画）を含んでいる。また、防火区画Ａ〜Ｄ内の柱７５，８５，７１，８１には、煙感知器２３１〜２３４が設置されている。煙感知器２３１〜２３４は、図示していない中継器４２に接続されている。
【００４９】
なお、図示していないが、四隅の階段区画にも同様の煙感知器がそれぞれ設けられている。階段区画に設置されている防火戸が常時閉鎖式の場合は、その防火区画から外側に、つまり避難方向に防火戸が開き、ドアチェック等により自動的に閉鎖するようになっている。一方、常時開放式の防火戸の場合には、通常時は柱などの側面に防火戸は収納されており、煙感知器２３１〜２３４から中継器４２を介して入力される防火信号ＢＳに連動して自動的に閉鎖するようになっている。階段区画に設置されている防火戸に対しても上述のように通常の感知器よりも比較的感度が低い感知器並びに受信機７０からの閉鎖指示信号を直接伝達可能な配線（信号線）が設けられる。
【００５０】
常時開放式の防火戸の場合には、閉鎖した防火戸に別途設けられた潜り戸１２１によって避難通路が確保される。この実施の形態に使用される防火戸としては、建物の構造に応じて、常時閉鎖式でも常時開放式でもいずれの防火戸でもよい。また、防火シャッター装置がシート状の場合には、そこに避難通路用の開口（スリット）が設けられている場合もある。なお、階段区画は、防火戸によってそれぞれ別の防火区画を形成している。
【００５１】
図３では、各柱の間に設けられた８組の防火シャッター装置及び防火戸によって、４つの防火区画Ａ〜Ｄが形成されるようなっている。図３では、各柱の間に設けられた防火シャッター装置にそれぞれ対応した危害防止用連動中継器が模式的に示してある。防火区画Ａと防火区画Ｃとの間の柱６３と柱７３の間には危害防止用連動中継器２１８ａが、柱７３と柱７７の間には危害防止用連動中継器２１８ｂが、防火区画Ａと防火区画Ｂとの間の柱６３と柱６４の間には危害防止用連動中継器２１８ｃが、柱６４と柱６５の間には危害防止用連動中継器２１８ｄが、防火区画Ｂと防火区画Ｄとの間の柱６３と柱８３の間には危害防止用連動中継器２１８ｅが、柱８３と柱８７の間には危害防止用連動中継器２１８ｆが、防火区画Ｃと防火区画Ｄとの間の柱６３と柱６２の間には危害防止用連動中継器２１８ｇが、柱６２と柱６１の間には危害防止用連動中継器２１８ｈがそれぞれ示してある。
【００５２】
図４は、図３の各危害防止用連動中継器の接続関係を示す図である。図４において、図３と同じ構成のものには同一の符号が付してあるので、その説明は省略する。図４は、図３に対応しており、危害防止用連動中継器２１８ａ〜２１８ｈ及び煙感知器２３１〜２３４について符号を付して示している。危害防止用連動中継器２１８ａ，２１８ｂは配線９１を介して、危害防止用連動中継器２１８ｃ，２１８ｄは配線９２を介して、危害防止用連動中継器２１８ｅ，２１８ｆは配線９３を介して、危害防止用連動中継器２１８ｇ，２１８ｈは配線９４を介してそれぞれ双方向接続されている。なお、危害防止用連動中継器２１８ａ，２１８ｃは配線９５を介して、危害防止用連動中継器２１８ｃ，２１８ｅは配線９６を介して、危害防止用連動中継器２１８ｅ，２１８ｇは配線９７を介して、危害防止用連動中継器２１８ｇ，２１８ａは配線９８を介してそれぞれ双方向接続されている。なお、配線９５〜９８を点線で示したのは、後述するように、省略可能であることを意味する。
【００５３】
各危害防止用連動中継器間の双方向接続は、他の危害防止用連動中継器との間で連携信号を送受信するための結線接続である。この双方向接続によって、受信機７０からの防火信号を受け取ったら、隣接する他の危害防止用連動中継器に対して連携信号を出力し、この連携信号を受信した他の危害防止用連動中継器は、防火信号を受信していなくても、防火信号を受信したものとみなして（なお、防火信号を受信しかつ連携信号を受信しても）閉鎖処理を開始するように動作する。なお、この連携信号は、感知器の復旧時に連携信号を出し続けてしまうことを防ぐために、ワンショット信号とすることが好ましい。
【００５４】
図３及び図４に示すように、各危害防止用連動中継器２１８ａ〜２１８ｈが配線９１〜９８によってそれぞれ双方向接続されている場合について説明する。火災発生時に煙感知器２３１から防火信号が出力され、それが中継器４２並びに防火区画Ａを形成する防火シャッター装置（柱６３と柱６４、柱６４と柱６５、柱６３と柱７３、柱７３と柱７７のそれぞれの柱間に設置されている防火シャッター装置）の危害防止用連動中継器及び自動閉鎖装置に閉鎖指示信号として入力される。全ての危害防止用連動中継器が防火信号を受信した場合は、問題なく防火区画Ａが形成される。
【００５５】
しかしながら、防火信号伝達用の電線が火災時の火炎によって断線したり、その他の不具合によって、受信機７０からの防火信号が、防火区画Ａを形成する防火シャッター装置（柱６３と柱６４、柱６４と柱６５、柱６３と柱７３、柱７３と柱７７のそれぞれの柱間に設置されている防火シャッター装置）の危害防止用連動中継器２１８ａ〜２１８ｄの全てには伝達しなかった場合には、配線９１，９２，９５の双方向接続を介して閉鎖指示信号が防火区画Ａを形成する防火シャッター装置の全てに伝達され、閉鎖処理の実行によって、防火区画Ａが形成されるようになる。なお、図４のように、双方向接続の配線９５〜９８が敷設されている場合には、防火区画Ａ以外に危害防止用連動中継器２１８ｅ，２１８ｇを備えた防火シャッター装置及び防火戸も閉鎖処理を実行することになる。そこで、配線９５〜９８を省略することによって、防火区画Ａ以外の防火シャッター装置及び防火戸が閉鎖処理を実行しないようにすることができる。
【００５６】
図５は、図４の各危害防止用連動中継器の接続関係の変形例を示す図である。図５において、図４と同じ構成のものには同一の符号が付してあるので、その説明は省略する。図４の実施の形態では、受信機７０からの防火信号が防火区画Ａを形成する防火シャッター装置の危害防止用連動中継器２１８ａ〜２１８ｄの中の１個又は２個にだけ伝達し、他に伝達しなかった場合には、防火区画Ａを形成することが困難な場合がある。そこで、図５の実施の形態では、所定の防火区画を形成するための複数の防火シャッター装置の危害防止用連動中継器の隣接するもの同士をそれぞれ数珠繋ぎ状に双方向に接続し、数珠繋ぎ状に双方向接続された危害防止用連動中継器の少なくとも１個に閉鎖指示信号が伝達されれば、所定の防火区画を形成できるようにした。
【００５７】
例えば、配線９１ａは、各危害防止用連動中継器２１８ａ〜２１８ｄを互いに数珠繋ぎ状に双方向接続し、防火区画Ａ内の煙感知器２３１から防火信号が出力された場合に、この配線９１ａを介して各危害防止用連動中継器２１８ａ〜２１８ｄ間で閉鎖指示信号を送受信するように構成する。同様に、配線９２ａは、各危害防止用連動中継器２１８ｃ〜２１８ｆを互いに数珠繋ぎ状に双方向接続し、防火区画Ｂ内の煙感知器２３２から防火信号が出力された場合に、この配線９２ａを介して各危害防止用連動中継器２１８ｃ〜２１８ｆ間で閉鎖指示信号を送受信するように構成する。配線９３ａは、各危害防止用連動中継器２１８ａ，２１８ｂ，２１８ｇ，２１８ｈを互いに数珠繋ぎ状に双方向接続し、防火区画Ｃ内の煙感知器２３３から防火信号が出力された場合に、この配線９３ａを介して各危害防止用連動中継器２１８ａ，２１８ｂ，２１８ｇ，２１８ｈ間で閉鎖指示信号を送受信するように構成する。配線９４ａは、各危害防止用連動中継器２１８ｅ，２１８ｆ，２１８ｇ，２１８ｈを互いに数珠繋ぎ状に双方向接続し、防火区画Ｄ内の煙感知器２３４から防火信号が出力された場合に、この配線９４ａを介して各危害防止用連動中継器２１８ｅ，２１８ｆ，２１８ｇ，２１８ｈ間で閉鎖指示信号を送受信するように構成する。このように構成することによって、所定の防火区画以外の防火シャッター装置及び防火戸が閉鎖処理を実行しないようにすることができる。また、受信機７０からの防火信号が防火区画Ａを形成する防火シャッター装置の危害防止用連動中継器２１８ａ〜２１８ｄの中の少なくとも１個にだけ伝達されれば、所定の防火区画Ａを形成することができるという効果を奏する。
【００５８】
図３〜図５の実施の形態では、平面的に見て十字状に防火区画を形成する場合について示しているが、左右方向、上下方向またはＴ字状に防火区画を形成し、これ以外の複雑な形状に防火区画を形成してもよいことは言うまでもない。また、防火区画をシート状又はシャッター状の防火カーテンだけを用いて形成し、その防火カーテンに避難上有効なように防火戸や防火口を複数設けるようにしてもよい。シート状の防火カーテンの場合は、防火戸に代えて、人の通過することのできる防火口を設けるのが一般的だからである。いずれの場合もシャッターあるいは防火戸の非常時における閉鎖は、煙感知器２３１〜２３４が作動した場合に中継器４２から出力される閉鎖指示信号に応じて閉動作を開始する。
【００５９】
図１では、受信機７０は、防火シャッター装置１１，２１，３１及び防火戸１２，２２，３２をそれぞれ１つのグループとした場合を示しているが、図３に示すように各階に防火シャッター装置及び防火戸のグループ、又は単独の防火シャッターや防火戸が設けられている場合には、これらを複数のグループに分けた場合のグループ毎に受信機７０が設けられ、受信機７０を介してグループ毎に各動作を制御するようにしてもよい。また、グループは防火シャッター装置及び防火戸、又は単独の防火シャッターや防火戸が重複してグループを構成することが好ましい。
【００６０】
例えば、図３において、防火区画Ａを形成するための防火シャッター装置及び防火戸として、柱６３と柱６４、柱６４と柱６５、柱６３と柱７３、柱７３と柱７７の間に設けられている防火シャッター装置及び防火戸で第１のグループを形成し、これに一つの第１の中継器及び断路器が設けられる。また、防火区画Ｂを形成するための防火シャッター装置及び防火戸として、柱６３と柱６４、柱６４と柱６５、柱６３と柱８３、柱８３と柱８７の間に設けられている防火シャッター装置及び防火戸が第２のグループを形成し、これに一つの第２の中継器及び断路器が設けられる。同様に、防火区画Ｃを形成するための防火シャッター装置及び防火戸として、柱６１と柱６２、柱６２と柱６３、柱６３と柱７３、柱７３と柱７７の間に設けられている防火シャッター装置及び防火戸が第３のグループを形成し、これに一つの第３の中継器及び断路器が設けられる。また、防火区画Ｄを形成するための防火シャッター装置及び防火戸として、柱６１と柱６２、柱６２と柱６３、柱６３と柱８３、柱８３と柱８７の間に設けられている防火シャッター装置及び防火戸が第４のグループを形成し、これに一つの第４の中継器及び断路器が設けられる。
【００６１】
さらに、階段区画の出入口に設けられている防火戸であって、竪穴区画に存在する防火戸群で一つのグループを形成し、そのグループに一つの中継器及び断路器を設け、この竪穴区画に存在する防火戸群をその階における前述のような第１から第４のグループにそれぞれ属するものとして登録する。このように、防火シャッター装置及び防火戸が複数のグループに重複して登録されることによって、受信機７０から中継器を介して送信される閉鎖指示信号は、少なくとも２系統の通信網を介して防火シャッター装置及び防火戸に送信されるようになるので、火災発生時に何らかの不具合が発生した場合でも、防火信号ＢＳである閉鎖指示信号を伝達することができるようになる。
【００６２】
図６は、防火シャッター装置及び防火戸の自動閉鎖処理の一例を示すフローチャート図である。この実施の形態では、防火シャッター装置１１，２１，３１と防火戸１２，２２，３３とは互いに連動して動作する。以下、防火シャッター装置１１と防火戸１２の自動閉鎖処理について説明する。
ステップＳ４０では、危害防止用連動中継器１１８に対して、煙感知器１３，２３，３３からの防火信号ＢＳを受信した中継器４１から出力される閉鎖指示信号、または電気式手動閉鎖装置１１９から起動信号に基づいた閉鎖指示信号が入力される。
ステップＳ４１では、防火信号ＢＳ又は起動信号に基づいた閉鎖指示信号の入力に応じて危害防止用連動中継器１１８が起動する。
ステップＳ４２では、袖扉側の戸袋内にある防火戸用自動閉鎖装置１２２が危害防止用連動中継器１１８からの有電圧信号に対応して、防火戸１２のフックプレート（図示してない）に係合している防火戸用自動閉鎖装置１２２の係合金具を開放する。
【００６３】
ステップＳ４３では、前のステップで防火戸用自動閉鎖装置１２２の係合金具が開放されたことによって、防火戸１２が自重（所謂グラビティーヒンジ使用など）やばね力（クローザー使用など）などの付勢力によって閉鎖処理を開始する。
ステップＳ４４では、防火戸１２が図示してない戸当たり部に当接することによって、その上枠に設置してある内蔵リミットスイッチすなわち閉鎖確認用スイッチ２４から防火戸閉鎖完了信号が入力したか否かの判定を行い、入力した（ｙｅｓ）と判定された場合は次のステップＳ４５に進み、入力していない（ｎｏ）と判定された場合は防火戸閉鎖完了信号が入力されるまでステップＳ４４の処理を繰り返し実行し、防火戸閉鎖完了信号の入力待機状態を維持する。なお、この防火戸閉鎖完了信号が所定時間だけ入力しなかった場合には、ステップＳ４４の処理を終了して次のステップＳ４５に進むようにしてもよい。
【００６４】
ステップＳ４５では、ステップＳ４４で防火戸閉鎖完了信号の入力によって防火戸１２の閉鎖完了を確認できたので、危害防止用連動中継器１１８は防火シャッター装置１１のシャッターカーテン１１４用の自動閉鎖装置１１２を動作させるための遅延タイマーをスタートさせる。
ステップＳ４６では、危害防止用連動中継器１１８は、前のステップでスタートした作動遅延タイマーが所定時間（例えば１０秒相当時間）だけカウントアップしたか否かの判定を行い、カウントアップした（ｙｅｓ）と判定した場合は次のステップＳ４７に進み、カウントアップしていない（ｎｏ）と判定された場合はカウントアップするまでこのステップの処理を繰り返し実行する。
【００６５】
ステップＳ４７では、前のステップで作動遅延タイマーがカウントアップしたと判定されたので、危害防止用連動中継器１１８は、防火シャッター装置１１のシャッターカーテン１１４の自動閉鎖装置１１２を起動させる。
ステップＳ４８では、自動閉鎖装置１１２によるシャッターカーテン１１４の閉鎖処理が実行される。閉鎖処理が終了したら、危害防止用連動中継器１１８は中継器４１を介して閉鎖処理終了信号を受信機７０へ送信する。
【００６６】
図６に示すような、袖扉である防火戸１２とシャッターカーテン４を互いに連動して動作するフローでは、起動信号の入力に応じて、袖扉である防火戸１２の自動閉鎖を実行し、その後タイマーのカウントアップ処理後にシャッターカーテン４を自動閉鎖している。なお、シャッターカーテン４の自動閉鎖の途中に障害物感知装置が障害物を感知した場合には、所定の障害物の回避動作などを行なうが、この実施の形態ではその動作については省略してある。
【００６７】
上述の実施の形態では、上下昇降方式で繰り出されるシャッターカーテンを例に説明したが、シャッター状の開閉部材が横引き方式で繰り出されたり、あるいは水平方式で繰り出されたりするものであっても同様に適用することができる。また、開閉体装置としては、例えば、シャッター装置、窓シャッター装置、ブラインド装置、ロールスクリーン装置、垂れ幕装置、防煙垂れ壁装置、開き戸装置、折れ戸装置、引戸装置、移動間仕切装置、オーニング装置、防水板装置などにも適用可能である。
防火シャッター装置及び防火戸の周辺に監視カメラや人感センサなどを設置し、カメラの撮影画像や人感センサの感知情報等に基づいて各動作を制御するようにしてもよい。
【００６８】
また、上述の実施の形態では、煙感知器１３，２３，３３が中継器４１，４２，４３に有線にて感知信号を送信する場合について説明したが、煙感知器１３，２３，３３と中継器４１，４２，４３との間を無線方式にて感知信号を送信可能としてもよい。
上述の実施の形態では、中継器を１階に一つ設ける場合について説明したが、図３に示すように各階に複数の区画が存在する場合には、中継器を各階の区画毎に設け、各階の中継器と受信機とを接続するようにしてもよい。また、受信機を建物の複数個所に設け、それぞれが独立して動作するようにしてもよい。
【符号の説明】
【００６９】
１１，２１，３１…防火シャッター装置
１１０…開閉機
１１１…ブレーキ
１１２，２１２，３１２…自動閉鎖装置
１１４…シャッターカーテン
１１５，１１６…ガイドレール
１１７，２１７，３１７…送受信子機
１１８，２１８，３１８…危害防止用連動中継器
２１８ａ〜２１８ｈ…危害防止用連動中継器
１１９…電気式手動閉鎖装置
１１ａ…座板スイッチ
１１ｂ…有線式障害物感知装置
１１ｃ…信号線
１１ｄ，２１ｄ，３１ｄ…感知器
１１ｅ，２１ｅ，３１ｅ…配線
１２，２２，３２…防火戸
１２１…潜り戸
１２２…防火戸用自動閉鎖装置
１２３…戸袋
１３，２３，３３…煙感知器
１１，２１，３１…防火シャッター装置
１１ｄ，２１ｄ，３１ｄ…感知器
２３１〜２３４…煙感知器
２４…閉鎖確認用スイッチ
４１，４２，４３…中継器
７０…受信機
５１，５２，５３…断路器
５５〜５８…外壁
６１〜６５，７１〜７８，８１〜８８…柱
９１〜９８…配線
９１ａ，９２ａ，９３ａ，９４ａ…配線
Ａ〜Ｄ…防火区画
【図１】
2020199222.tif 000003
【図２】
2020199222.tif 000004
【図３】
2020199222.tif 000005
【図４】
2020199222.tif 000006
【図５】
2020199222.tif 000007
【図６】
2020199222.tif 000008